(57)【要約】【課題】  産業用クリーニングの分野において、燃料、洗剤、水の節約を図ると共に、洗いからすすぎ、脱水に至る一工程当たりに要する時間の短縮ができる新規な洗濯方法を提供する。【解決手段】  洗濯物を収容した槽全体を回し、槽内の水の遠心力水流で洗濯物を洗いかつすすぐ洗濯方法において、  前記洗いの工程は、槽内に遠赤外線放射セラミックス２を多重の布袋３に収容した遠赤外線放射体１を洗濯物と共に収容すると共に、槽内の水の温度を３０〜６０℃の範囲の温度として行い、  前記すすぎの工程は、槽内の水の温度を常温にして行うことを特徴とする。【選択図】  図１
2006102334.tif 000002
【特許請求の範囲】
【請求項１】
洗濯物を収容した槽全体を回し、槽内の水の遠心力水流で洗濯物を洗いかつすすぐ洗濯方法において、
前記洗いの工程は、槽内に遠赤外線放射セラミックスを多重の布袋に収容した遠赤外線放射体を洗濯物と共に収容すると共に、槽内の水の温度を３０〜６０℃の範囲の温度として行い、
前記すすぎの工程は、槽内の水の温度を常温にして行うことを特徴とする洗濯方法。
【請求項２】
洗濯物を収容した槽全体を回し、槽内の水の遠心力水流で洗濯物を洗いかつすすぐ洗濯方法に於いて、
前記洗いの工程は、槽内に遠赤外線放射セラミックスを多重の布袋に収容した遠赤外線放射体を洗濯物と共に収容すると共に、槽内の水の温度を３０〜６０℃の範囲の温度として行うことを特徴とする洗濯方法。
【請求項３】
洗濯物を収容した槽全体を回し、槽内の水の遠心力水流で洗濯物を洗いかつすすぐ洗濯方法において使用する遠赤外線放射体であって、
多重の布袋内に、遠赤外線放射セラミックスが、その粒子相互間で摩擦及び衝突が可能な状態で収容されていることを特徴とする遠赤外線放射体。
【発明の詳細な説明】
【技術分野】
【０００１】
この発明は、洗濯方法に係り、更に詳しくは、遠赤外線放射セラミックスを用いて行う洗濯方法に関する。
【背景技術】
【０００２】
従来、セラミックスの超微粒子と洗剤の混成物と共に洗濯物を洗濯槽内の水中に投入し、これに洗濯槽内に設置した遠赤外線放射体から発する遠赤外線を照射しながら洗濯を行い、洗浄力を活性化させる方法が提案されている（特許文献１）。
【０００３】
【特許文献１】特開平１１−１０４３８７号公報
【発明の開示】
【発明が解決しようとする課題】
【０００４】
しかしながら、上記従来の洗濯方法では、セラミックスの超微粒子と洗剤を混ぜなければならなかったし、また、洗濯槽内に遠赤外線放射体を設置しなければならないものであった。
【０００５】
そこで、この発明は、上記従来の技術に鑑み、産業用クリーニングの分野において、燃料、洗剤、水の節約を図ると共に、洗いからすすぎ、脱水に至る一工程当たりに要する時間の短縮ができる新規な洗濯方法を提供することを目的としている。
【課題を解決するための手段】
【０００６】
上記の目的のもとになされたこの発明の洗濯方法は、洗濯物を収容した槽全体を回し、槽内の水の遠心力水流で洗濯物を洗いかつすすぐ洗濯方法に於いて、
前記洗いの工程は、槽内に遠赤外線放射セラミックスを多重の布袋に収容した遠赤外線放射体を洗濯物と共に収容すると共に、槽内の水の温度を３０〜６０℃の範囲の温度として行い、
前記すすぎの工程は、槽内の水の温度を常温にして行うことを特徴としている。
【０００７】
上記において、洗濯物を収容した槽全体を回し、槽内の水の遠心力水流で洗濯物を洗いかつすすぐ洗濯方法とは、クリーニング業界で使用されている、いわゆるドラム式洗濯機を用いて行われる洗濯方法である。
【０００８】
遠赤外線放射体は、槽の回転により生ずる遠心力水流で洗濯物と一緒に流動し、また槽の内壁との衝突を繰り返す。また、遠赤外線放射体を構成した布袋内では、遠赤外線放射セラミックスの粒子相互も摩擦と衝突を繰り返す。このため、遠赤外線放射セラミックスは、摩擦と衝突に耐えられる強度を備えたセラミックスを用いる。
【０００９】
また、遠赤外線放射セラミックスを収容する袋は、洗濯物を傷めないために、繊維状物質、即ち布袋が適している。しかも、遠赤外線放射セラミックスとの摩擦や衝突によって破れ、遠赤外線放射セラミックスが袋外に飛び出さないようにするために多重、好ましくは三重程度、とするのが望ましい。この布袋を形成する布は、多数回(例えば２５０回)の洗濯に耐えるために、ポリアミド、ポリエステル、ポリプロピレン、ビニロン製のものが望ましい。また、布袋内に収容する遠赤外線放射セラミックスは、布袋の中で、遠赤外線放射セラミックスの粒子同士が摩擦及び衝突ができるように、７０〜８０％の充填率とするのが望ましい。
【００１０】
洗濯物の洗いの工程において、槽内の水の温度を３０〜６０℃とすることで、遠赤外線放射セラミックスが加温されて遠赤外線を放射し、槽内の水の分子を細分化し、浸透力のある水にする。槽内の水の温度を３０℃未満とすると遠赤外線放射効果が得られない。槽内の水の温度を６０℃を越える温度にすると熱経済上、不利となる。また、遠赤外線放射セラミックスは、上記のように、粒子相互間で摩擦と衝突を繰り返して、摩擦電気・焦電気（静電気）を発生させる。これにより、槽内の水分子をＨ＋イオンとＯＨ−イオンに解離させ、ここで生じたＯＨ−イオンが界面活性効果を発揮することになる。
【００１１】
このような水の細分効果と界面活性効果によって、遠赤外線放射セラミックスが洗濯物に対して洗浄力を発揮する。図３〜５は遠赤外線放射セラミックスの洗浄力と市販の洗剤（１２種）の洗浄力を比較するために調べた結果を表している。白布地にココナツミルク、レッドワイン、コールオイルを染み込ませ、容量７Ｋｇのドラム式洗濯機で槽内の水の温度を約５０℃にして洗濯した結果である。洗浄力を洗濯後の布地の反射率（白布地を１００とした）で評価した。
【００１２】
図３がココナツミルクの場合、図４がレッドワインの場合、図５がコールオイルの場合である。市販の洗剤に比べて若干劣るものの、略遜色のない洗浄力が得られている。特に、図４のレッドワインの場合では、市販のいくつかの洗剤よりも良い洗浄力が得られている。
【発明の効果】
【００１３】
この発明の洗濯方法によれば、洗いの工程で槽内の水の温度を遠赤外線放射セラミックスが遠赤外線を放射するのに十分な温度範囲である３０〜６０℃とし、そして遠赤外線放射セラミックスの洗浄力を発揮させるようにしたので、水の温度をこれまでの洗濯時の温度（通常６５〜８０℃）より低い温度に下げて、洗濯に要する熱量を少なくし、かつ洗剤の使用量を減らす（約半分）ことができる。
そして、洗剤の使用量を少なくできるため、すすぎの工程の時間（回数）を減らすことが可能で、水の使用量の低減と洗濯に要する時間の短縮を図ることができる。
【発明を実施するための最良の形態】
【００１４】
図１は、実施の形態で使用した遠赤外線放射体１の斜視図であり、図２は、その一部拡大断面図である。遠赤外線放射セラミックス２が布袋３の中に収容されている。布袋３は、内袋３ａ、中袋３ｂ、外袋３ｃの三重になっており、遠赤外線放射セラミックス２を収容した後、口４が縫製により封口されている。布袋３に収容した遠赤外線放射セラミックス２は、布袋３内で移動して粒子相互が摩擦及び衝突ができる量とした。具体的には、約１００ｇで、布袋３の容量の７０〜８０パーセントの体積とした。
【００１５】
洗濯物を収容した槽全体を回し、槽内の水の遠心力水流で洗濯物を洗い且つすすぐ、いわゆるドラム式洗濯機を用いた洗濯方法において、洗いの工程で、前記の遠赤外線放射体１を用いる。洗いの工程で、槽に３０〜６０℃の水（温水）を満たすと共に、洗濯物及び洗剤と前記遠赤外線放射体１を投入する。投入個数は槽の容量によるが、９０Ｋｇ用の槽で１０個、５０Ｋｇ用の槽で７個、２２Ｋｇ用の槽で４個位が適当である。
【００１６】
遠赤外線放射体１を構成している遠赤外線放射セラミックス２は、３０〜６０℃の水で加温されて遠赤外線を放射し、槽内の水の分子を細分化し、また、洗濯中の摩擦と衝突による摩擦電気・焦電気の発生で槽内の水分子をＨ＋イオンとＯＨ−イオンに解離させて、界面活性効果を発揮し洗浄力が得られるので、槽に投入する洗剤は少なくて良く、通常の半分位で十分である。
【００１７】
洗いの工程に続いてすすぎの工程を行う。このすすぎは、通常、すすぎ・排水を複数回繰り返すが、洗いの工程で使用する洗剤の量が少ないので、すすぎ・排水の回数を減らすことができ、その分、水の使用量を減らし、また、洗いからすすぎまでの洗濯の一工程に要する時間を短縮することができる。
【００１８】
以下、実施例を従来例（現状）と対比して説明する。
【実施例１】
【００１９】
コックコートを５０Ｋｇのドラム式洗濯機で洗濯して、従来例と比較した。結果は以下のとおりである。
【００２０】
コックコート    ５０Ｋｇ機
現状                            実施例１
洗い      ７分  ８０℃  洗剤、メタケイ酸塩    ５０℃  洗剤１／２、メタケイ酸塩
中間脱水                                                          
洗い      ７分  ８０℃  漂白剤、メタケイ酸塩  ５０℃  漂白剤、メタケイ酸塩
中間脱水
すすぎ１  ３分  常温                            常温
排水
すすぎ２  ３分  常温  中和剤                    常温  中和剤
排水
すすぎ３  ３分  常温                            なし
のり付け
脱水
【００２１】
上記のように、この発明の洗濯方法によれば、洗いの工程では、従来８０℃の水を使用していたところを５０℃にでき、しかも洗剤の量も半分にすることができた。
また、すすぎの工程では、従来３回のすすぎが必要とされていたところを２回で良くでき、その分、水の使用量を減らし、作業時間の短縮を図ることができた。
【実施例２】
【００２２】
テーブルクロス(白クロス、色クロス）を５０Ｋｇのドラム式洗濯機で洗濯して、従来例と比較した。結果は以下のとおりである。
【００２３】
テーブルクロス(白クロス、色クロス）    ５０Ｋｇ機
現状                            実施例２
洗い      ７分  ８０℃  洗剤、メタケイ酸塩、    ５０℃  洗剤２／３、メタケイ酸塩
漂白剤                          漂白剤
中間脱水                                                          
すすぎ１  ３０秒  常温  助剤（色クロスのみ）    常温  助剤（色クロスのみ）
排水
すすぎ２  ３０秒  常温                          常温  
排水
すすぎ３  ３０秒  常温                          なし
のり付け
脱水
【００２４】
この実施例に於いても、この発明の洗濯方法によれば、洗いの工程では、従来８０℃の水を使用していたところを５０℃にでき、そして洗剤の量は２／３に減らすことができた。
すすぎの工程も、従来３回のすすぎが必要とされていたところを２回で良くでき、その分、水の使用量を減らし、作業時間の短縮を図ることができた。
【実施例３】
【００２５】
白ワイシャツを２２Ｋｇのドラム式洗濯機で洗濯して、従来例と比較した。結果は以下のとおりである。
【００２６】
白ワイシャツ    ２２Ｋｇ機
現状              実施例３
洗い      １５から１８分  ５０℃  洗剤      ４５℃  洗剤１／２
すすぎ    ３分            ４５℃            ４５℃
のり付け  ４分            ４５℃            ４５℃
脱水      ３分
【００２７】
この実施例では、この発明の洗濯方法によれば、洗いの工程で、従来５０℃の水を使用していたところを４５℃にでき、そして洗剤の量は半分に減らすことができた。
【実施例４】
【００２８】
おしぼり（タオル）を９０Ｋｇのドラム式洗濯機で洗濯して、従来例と比較した。結果は以下のとおりである。
【００２９】
おしぼり    ９０Ｋｇ機
（現状）
時間        水量          温度          投入薬品
予洗        ５分        ４００Ｌ      常温
本洗      １５分        ４００Ｌ      ６５℃        洗剤、メタケイ酸塩、
次亞塩素酸塩
すすぎ１    ５分        ４００Ｌ      ６５℃
すすぎ２    ５分        ４００Ｌ      常温
すすぎ３    ５分        ７００Ｌ      常温
すすぎ４    ５分        ７００Ｌ      常温          次亞塩素酸塩
脱水
（実施例４）
予洗        ５分        ４００Ｌ      常温
本洗      １５分        ４００Ｌ      ４０℃        洗剤１／２、メタケイ酸塩、
次亞塩素酸塩
すすぎ１    ５分        ４００Ｌ      ４０℃
すすぎ２    ５分        ４００Ｌ      常温
すすぎ３    ５分        ７００Ｌ      常温          次亞塩素酸塩
脱水
【００３０】
この発明の洗濯方法によれば、洗いの工程（本洗）では、従来６５℃の水を使用していたところを４０℃にでき、しかも洗剤の量も半分にすることができた。
また、すすぎの工程では、始めのすすぎが従来６５℃の水を使用していたところを４０℃で良くでき、また、従来４回のすすぎが必要とされていたところを３回で良くでき、水の温度を下げると共に使用量を減らし、また作業時間の短縮を図ることができた。
【００３１】
次に、この実施例４の場合について、燃料代、洗剤代、水道代の削減効果について試算してみる。
１）燃料代
本洗出、４００Ｌの水の温度を６５℃から４０℃に下げることができた。またすすぎ１で４００Ｌの水の温度を６５℃から４０℃に下げることができた。水を加温するための熱量の差は、水量と温度差と比熱の積(水量×温度差×比熱)であるから、これを求めると、
８００×（６５−４０）×１＝２００００Ｋｃａｌ
となる。熱効率を４０％として、実質は
２００００÷０．４＝５００００Ｋｃａｌ
の熱量が削減されたことになる。熱源を１００００Ｋｃａｌの都市ガス使用とすると、
５００００÷１００００＝５ｍ３(立方メートル)
のガスを節約できたことになる。１月当たり２５０回(１日１０回)洗濯を繰り返すとすると、
５×２５０＝１２５００ｍ３(立方メートル)
のガスを節約できることになる。
２）洗剤代
洗剤の使用量は１／２であるので、洗剤代を半分に削減できる。
３）水道代
従来のすすぎ４をしなくて良くできるので、１回の洗濯当たり７００Ｌ分の水道代を削減することができる。１日１０回の洗濯を繰り返し、１月に２５０回行うとすると、
７００×２５０＝１５５０００Ｌ＝１５．５ｍ３(立方メートル)
分の水道代を削減することができる。
４）作業時間
従来のすすぎ４で要していた５分の時間を１回の洗濯で短縮できる。１日１０回洗濯するとして、５０分の時間を短縮することができる。
【図面の簡単な説明】
【００３２】
【図１】この発明の実施の形態で使用した遠赤外線放射体の斜視図である。
【図２】同じく、遠赤外線放射体の一部拡大断面図である。
【図３】白布地にココナツミルクを染み込ませた布地に対する市販の洗剤と遠赤外線放射セラミックスの洗浄力を示すグラフである。
【図４】白布地にレッドワインを染み込ませた布地に対する市販の洗剤と遠赤外線放射セラミックスの洗浄力を示すグラフである。
【図５】白布地にコールオイルを染み込ませた布地に対する市販の洗剤と遠赤外線放射セラミックスの洗浄力を示すグラフである。
【符号の説明】
【００３３】
１          遠赤外線放射体
２          遠赤外線放射セラミックス
３          布袋
３ａ        内袋
３ｂ        中袋
３ｃ        外袋
４          口
【図１】
2006102334.tif 000003
【図２】
2006102334.tif 000004
【図３】
2006102334.tif 000005
【図４】
2006102334.tif 000006
【図５】
2006102334.tif 000007